(57)【要約】  【課題】ウォータクッションを使用した座において着座者の身体安定性や自然な感触を確保しつつ、廃棄後の環境負荷も低減する。  【手段】座は、樹脂製のインナーシェル１とウォータクッション２と弾性材製の第２クッション体３とから成っている。ウォータクッション２は堰体９〜１２，１６〜１８と室２０〜２３とを有して凹凸の外観を呈している。インナーシェル１にはウォータクッション２と嵌り合うように凸部２６と凹部２７とが形成されている。インナーシェル１に対するウォータクッション２の座りが良いことと、ウォータクッション２の凹凸が身体に反映されないこととにより、身体の安定性が高い。第２クッション体３は中空ポリエステル繊維を素材とした不織布を使用できるため、リサイクルが容易で廃棄後の環境負荷が小さい。【選択図】図２
2010273980.tif 000002
【特許請求の範囲】
【請求項１】
椅子の座又は背もたれであって、着座者の体圧を支える強度メンバーとしての基板と、前記基板の体圧支持面に重なった第１クッション体と、前記第１クッション体に重なった第２クッション体とを備えており、
前記第１クッション体は、表裏シートから成る柔軟な袋体の内部に流体が充填された流体クッションである一方、前記第２クッション体は、ポリエステル製の無数の中空化繊を絡み合わせて互いの交絡部を溶着している不織布である、
椅子の座又は背もたれ。
【請求項２】
前記第１クッション体の内部には表裏シートを溶着して形成された堰体が配置されており、このため前記第１クッション体は凹凸の外観を呈している一方、前記基板には、前記第１クッション体が全体的に又は部分的に嵌まり込む凹所が形成されている、
請求項１に記載した椅子の座又は背もたれ。
【請求項３】
前記第１クッション体は面的な広がりと厚さ方向との両方において基板の凹所に全体的に嵌まり込んでおり、このため、着座前の状態において、前記第１クッション体のうち第２クッション体と重なる表面部は凹凸が殆どないか又は裏面よりは遙かに小さい高低差の凹凸になっており、更に、前記第２クッション体は全体にわたって厚さが等しい板状になっている、
請求項２に記載した椅子の座又は背もたれ。
【請求項４】
前記基板のうち少なくとも体圧が強く掛かる部分を、着座者の体圧によって膨出変形し得る変形許容部と成している、
請求項１〜３のうちの何れかに記載した椅子の座又は背もたれ。
【発明の詳細な説明】
【技術分野】
【０００１】
本願発明は、椅子の座又は背もたれに関するものである。
【背景技術】
【０００２】
椅子の座及び背もたれには様々な構造のものがあるが、事務用椅子を見ると、樹脂製の基板（インナーシェル）の表面にクッション体を重ね配置した構造のものが多い。敢えて述べるまでもないが、クッション体はクロス等の表皮材で覆われている。また、クッション体としては一般にウレタンが多用されている。ウレタンは身体への当たりの柔らかさを確保するという点では優れているが、圧縮によって弾性変形するに過ぎないため、弾性クッションのみでは身体の凹凸へのフィット性は必ずしも十分でない場合がある。
【０００３】
座を例に取ると、クッション性を向上させるための１つの方策として、樹脂製の座板（座インナーシェル）を体圧で沈み込み変形させることが行われており、その一例として本願出願人の出願に係る特許文献１には、座板のうち特に着座者の座骨が当たる部分を中心にした箇所に多数のスリットを形成することが開示されている。
【０００４】
他方、主としてフィット性という点から、柔軟な袋体の内部に水を充填したウォータクッションを座や背もたれに適用することも提案されている。水（液体）は自在に形が変化するが体積は変化しない特性を持っており、ウォータクッションはこの水の特性によって人の身体に倣って変形するようになっており、このためフィット性に優れている。
【０００５】
しかし、外周を封止しただけの袋体に水を充填したに過ぎないウォータクッションでは、着座時に水が瞬間的に移動して着座時の緩衝機能が低いのみならず、身体の僅かな動きで水が過敏に動くため着座者の身体がユラユラ動く現象が生じて安定性に欠けるという問題点があった。
【０００６】
そこで、袋体の内部を複数の領域に区分することが提案されており、その例として特許文献２には、座用のウォータクッションにおいて、袋体を前後方向に延びる堰体と略左右方向に延びる堰体との群で複数の領域に区分し、各領域をオリフィス部で連通させて水の流れを制御することが開示されている。また、特許文献２には、ウレタン等の弾性材からなる弾性クッションをウォータクッションに重ねて使用することも開示されている。
【先行技術文献】
【特許文献】
【０００７】
【特許文献１】特開２０００−９３２５０号公報
【特許文献２】特開２００８−４３４２９号公報
【発明の概要】
【発明が解決しようとする課題】
【０００８】
ウォータクッションのような流体クッションを特許文献２の構成にすると、隣り合った領域がオリフィス部を介して連通していることによって着座時の瞬間的な水の移動が規制されるため、着座時の緩衝性（クッション性）を高めることができ、更に、臀部支持領域が独立していることで臀部のホールド性が高くなるため、単に周囲のみを溶着したものに比べると姿勢の安定性とフィット性とを向上できる。
【０００９】
他方、ウォータクッションに弾性クッションを重ねて使用すると、ウォータクッションの冷たさを遮断できる利点や、違和感のない感触を得ることができる利点、或いは見た目も良くなるといった利点があるが、ウレタン製のクッションは弾力性や耐久性に優れているものの、廃棄後はリサイクルが困難で焼却せざるを得ないため環境負荷が大きいという問題や通気性に劣るという問題があった。
【００１０】
また、ウォータクッションは堰体を設けると必然的に凹凸ができることになり、このため、全体にわたって等しい厚さの弾性クッションを使用すると、ウォータクッションの凹凸がそのまま弾性クッションに反映されてしまって着座者に違和感（突き上げ感）を与えることがあった。
【００１１】
更に、例えば座を例にとると、従来は、座板（インナーシェル）はスリットのような穴の存在は別にして基本的には凹凸がない平滑面になっていてこれに凹凸のあるウォータクッションが載る構造になっているため、非着座状態ではウォータクッションのうち堰体とその近傍部は座板から浮いた状態になり、すると、着座によってある領域が押し潰されると他の領域は膨れる傾向を呈することになって「座りが悪い」という現象が生じ、その結果、着座によってウォータクッションの凹凸がより顕著に表れてこれが身体の突き上げ感を招来していると懸念される。
【００１２】
更に述べると、着座者の身体の安定性を考察する場合、座を例にとると、座板に対するウォータクッションの安定性の問題とウォータクッションに対する身体の安定性との問題との２つの問題を検討せねばならないが、従来は、座とウォータクッションとの関係には特段の注意は払われていなかったと言える。
【００１３】
本願発明はこのような現状に鑑み成されたものであり、ウレタンを使用することなくこれを凌駕するクッション性・フィット性が確保された座又は背もたれを提供することを第１の主目的とする。更に本願発明は、座板等の基板とクッション体との好適な関係を提供することを第２の主目的としており、この第２の主目的は、第１の主目的と一体のもとして又は独立したものとして本願で開示されている。
【課題を解決するための手段】
【００１４】
本願発明は椅子の座又は背もたれに係り、この座又は背もたれは、着座者の体圧を支える強度メンバーとしての基板と、前記基板の体圧支持面に重なった第１クッション体と、前記第１クッション体に重なった第２クッション体とを備えている。そして、請求項１の発明では、前記第１クッション体は、表裏シートから成る柔軟な袋体の内部に流体が充填された流体クッションである一方、前記第２クッション体は、ポリエステル製の無数の中空化繊を絡み合わせて互いの交絡部を溶着している不織布が使用されている。
【００１５】
請求項２の発明は、請求項１において、前記第１クッション体の内部には表裏シートを溶着して形成された堰体が配置されており、このため前記第１クッション体は凹凸の外観を呈している一方、前記基板には、前記第１クッション体が全体的に又は部分的に嵌まり込む凹所が形成されている。
【００１６】
請求項３の発明は、前記第１クッション体は面的な広がりと厚さ方向との両方において基板の凹所に全体的に嵌まり込んでおり、このため、着座前の状態において、前記第１クッション体のうち第２クッション体と重なる表面部は凹凸が殆どないか又は裏面よりは遙かに小さい高低差の凹凸になっており、更に、前記第２クッション体は全体にわたって厚さが等しい板状になっている。請求項４の発明は、請求項１〜３のうちの何れかにおいて、前記基板のうち少なくとも体圧が強く掛かる部分を、着座者の体圧によって膨出変形し得る変形許容部と成している。
【発明の効果】
【００１７】
さて、ウレタンは原料を型に充填して発泡・架橋させることで多孔質構造になるが、気泡が独立しているため通気性に劣る。他方、無数の繊維が絡まった構造体として不織布があり、これは通気性に優れている。しかし、化繊を素材にした通常の不織布は耐久性に劣っていて「へたり」が生じやすいと共に弾力性も高くないのが実情である。
【００１８】
他方、ポリエステルの中空繊維を素材とした不織布が開発されており、この中空ポリエステル繊維製不織布を椅子のクッション体に適用すると、ポリエステルは再利用が容易であるため廃棄後の処理に要する環境負荷が小さいという利点や、繊維を中空構造にすることで耐久性や弾力性も向上できる利点があると言える。しかし、中空ポリエステル繊維製不織布は他の不織布に比べると耐久性・弾力性は高いがウレタンに対しては劣っており、このため、椅子の座用クッション体のように大きな荷重が作用する箇所に使用する場合は、ウレタン製に単に置き換えできるとは言い難いのが実情である。
【００１９】
これに対して本願発明では、不織布製クッション体は単独ではなく第１クッション体たる流体クッションと併用するものであるため、ポリエステル製不織布の問題である耐久性・弾力性は流体クッションでカバーすることができ、かつ、流体クッションのみを単独で使用した場合に生じる可能性がある安定性の欠如や違和感等の問題も解消又は著しく改善できる。従って請求項１の発明によると、流体クッションを使用することによる高いフィット性・クッション性は確保しつつ、廃棄後の環境負荷を抑制した状態で、通気性を向上できる利点や安定性を向上できる利点、或いは身体に対する違和感のない自然な感触を確保できる利点を享受できるのである。
【００２０】
流体クッションの内部に堰を設けて流体の流れを制御する構造にすると、違和感のない自然な感触を得ることができると共に安定性も向上できる利点があるが、請求項２の構成を採用すると流体クッションはその全体にわたって基板に密着した状態が保持されるため、基板に対する流体クッションの「座り」が良くなり、その結果、第２クッション体をさほど厚くしなくても人の身体を安定的に支持できる。
【００２１】
更に述べると、流体クッションに複数の領域があって凹凸形状になっている一方で基板が平滑であると、流体クッションは体圧で部分的に押圧されると自在に変形することになり、このため流体クッションが過剰に変形して身体が不安定になるのであるが、請求項２の発明では流体クッションは基板の凹所に部分的又は全体的に嵌まっていることで変形が抑制されているため、流体クッションの凹凸が人の身体にダイレクトに伝わることを防止するために第２クッション体を分厚くする必要がないのであり、しかも、基板の凹みを身体の丸みに合わせることで安定性をより一層向上できるである。
【００２２】
流体クッション（第１クッション体）は面的な広がりと厚さ方向の広がりとを持っているが、請求項２の発明の「部分」「全体」はそれぞれ面的な広がりと厚さ方向の広がりとの両方を含んでいる。すなわち、全面にわたって基板の凹所に嵌まり込でいる場合と一部の面積において基板の凹所に嵌まり込んでいる場合、及び、厚さ方向の全体にわたって基板の凹所に嵌まり込んでいる場合と厚さ方向の一部が基板の凹所に嵌まり込んでいる場合とを含んでおり、従って、「全面＋全厚」「全面＋部分厚」「部分面積＋全厚」「部分面積＋部分厚」の４つのパタ−ンを含んでいる。
【００２３】
そして、請求項３の発明は第２クッション体が「全面＋全厚」の範囲で基板の凹所に嵌まっているため、第２クッション体を等厚の板状（シート状と呼んでもよい）に形成しても身体が部分的に突き上げられるような現象は生じない。従って、第２クッション体には特段の加工を施す必要は無いのであり、それだけコストダウンを図ることができる。
【００２４】
請求項４のように基板に変形許容部を設けると、流体クッション（第１クッション体）をできるだけ薄い構造にしつつ（換言すると容積を小さくしつつ）高いクッション性を確保できるため、身体安定性の更なる向上や流体クッションの薄型化による耐久性の向上を図ることができる。
【図面の簡単な説明】
【００２５】
【図１】実施形態を示す図で、（Ａ）は座の破断平面図、（Ｂ）は座板の平面図である。
【図２】（Ａ）は図１（Ａ）のIIA-IIA 視断面図、（Ｂ）は図１（Ａ）のIIB-IIB 視断面図、（Ｃ）は別例図である。
【図３】（Ａ）は第２クッション体の材料の部分斜視図、（Ｂ）〜（Ｄ）は第２〜第４実施形態及び参考例を示す図である。
【図４】第５〜第７実施形態及び参考例を示す図である。
【図５】参考例を示す図で、（Ａ）は第３参考例の縦断側面図、（Ｂ）は第４参考例の縦断側面図、（Ｃ）は（Ｂ）は第５参考例の縦断正面図である。
【発明を実施するための形態】
【００２６】
次に、本願発明を具体化した実施形態を図面に基づいて説明する。本実施形態は座に適用している。なお、以下の説明で、方向を特定する用語として「前後」「左右」の文言を使用するが、この文言は着座した人を基準にしている。
【００２７】
(1).第１実施形態の構造
座は樹脂製のインナーシェル（座板）１を備えており、インナーシェル１の上面に、第１クッション体として流体クッションの一例としてのウォータクッション２が配置されており、かつ、ウォータクッション２の上面には弾性材製の第２クッション体３が重ね配置されている。第２クッション体３の表面はクロス等の張り地（図示せず）で覆われている。インナーシェル１は支持手段に取り付けるためのキャッチ部を有するが、本実施形態では省略している。
【００２８】
図１に示すように、座は平面視で略四角形に近い形状になっており、このため、座１は左右２つのフロントコーナ部４と左右二つのリアコーナ部５とを有している。両コーナ部４，５は丸みを帯びている。図２（Ａ）に示すように、インナーシェル１は人の身体にフィットするように正面視では上向き凹状になっており、かつ、図２（Ｂ）に示すように、前部は着座者の大腿部を突き上げないように下向きに曲がっている。インナーシェル１は、例えばポリプロピレンのような樹脂を素材にした射出成形法で製造されている。
【００２９】
ウォータクッション２は、上下シート６，７を溶着して構成された袋体の内部に水を充填した基本構造になっている（図面では水には符号は付していない。）。上下シート６，７はＥＶＡ樹脂のような強靱な不透水性樹脂からなっており、熱盤による溶着や高周波又は超音波を用いた溶着などで周囲をライン状に接合することで袋体と成されている。なお、袋体２は上下対称及び左右対称の形状になっていて上下左右の方向性はない。従って、シート６，７に関する上下の区分は説明の便宜のためのものである。水には不凍液のような補助成分を添加することがあるが、本願では、何らかの成分が添加された混合水も単に水と称している。
【００３０】
ウォータクッション２を構成する袋体の外周の溶着部を符号８で示している。ウォータクッション２のうち左右側部の略前半部には、外周の溶着部８の外側に広がる余白部９が存在している。余白部９は手前側に行くに従って左右幅が大きくなっている。敢えて述べるまでもないが、余白部９はなくてもよい。
【００３１】
袋体の内部は、上下シート６，７を溶着して形成された複数の堰体によって複数のエリアに区分されている。まず、左右中間部には、前後方向に長く延びる主センター堰体１０と、その手前に配置された前部センター堰体１１と、主センター堰体１０の後ろに配置された後部センター堰体１２とが形成されており、これらのセンター堰体１０，１１，１２で袋体は左右のエリアに大きく区分されている。前部センター堰体１１の手前には、外周シール部９と一体になって後ろ向きに突出した補助センター堰体１３が形成されている。隣り合ったセンター堰体１０〜１３の間と後部センター堰体１２の後ろとはセンターオリフィス部１４になっており、水はセンターオリフィス部１４を介して左右のエリアに自在に移動できる。
【００３２】
主センター堰体１０は上下シート６，７を環状に溶着することで形成されている。本実施形態のウォータクッション２はインナーシェル１に固定する必要はないが、インナーシェル１に固定することも可能である。固定する場合は、主センター堰体１０の箇所や余白部９を固定部に利用したらよい。
【００３３】
袋体における左右２のエリアには、袋体の手前側寄りに配置した第１サイド堰体１６、その後ろに配置した第２サイド堰体１７、その後ろに配置した第３サイド堰体１８の３本の堰体が形成されている。第１サイド堰体１６と第２サイド堰体１７とは袋体の手前側にずれて配置されており、左右外側に行くに従って後ろにずれるように平面視げ傾斜又は湾曲している。他方、第３サイド堰体１６は着座者の座骨を囲うように平面視で主センター堰体１０に向けて凹状（或いは外向き凸状）に形成されている。
【００３４】
サイド堰体１６〜１８の群とセンター堰体１０〜１３との間にはサイドオリフィス部１９が空いている。そして、袋体の内部は、第３サイド堰体１８と主センター堰体１０とで囲われた第１室２０、その手前に配置された３つの前室２１、第１室２０の後ろに位置したリア室２２、サイド堰体１６〜１８の群の左右外側に位置したサイド室２３とに区分されている。敢えて述べるまでもないが、上記の区分構造は一例であり、他の様々な区分構造を採用できる。また、本願発明は内部を区分していない（従って堰体を有しない）ウォータクッションも使用できるのである。
【００３５】
ウォータクッション２は、その内部に堰体の群を形成したことにより、各室が上下に突出して堰体の箇所が凹んだ凹凸の形態になっている。そして、インナーシェル１は、各堰体１０〜１３，１６〜１８に対応したセンター凸部２４及びサイド凸部２５と、ウォータクッション２の各室２０〜２３が嵌まり込む凹部２６とを有しており、このためインナーシェル１はウォータクッション２と嵌まり合う凹凸形状になっている。そして、インナーシェル１における各凹部２６の深さをこれに嵌まるウォータクッション２の室の厚さに揃えることにより、ウォータクッション２の全体がインナーシェル１における凹部２６の群に嵌まり込むように設定している。
【００３６】
(2).第１実施形態のまとめ
ウォータクッション２の堰体は上下のシート６，７を溶着することで形成されるので、無負荷状態では各堰体（及び外周シール部８）は袋体の厚さ方向の中間部に位置するのが一般的であるが、インナーシェル１における各凹部２６の深さがウォータクッション２の室の厚さと略同じであるため（換言すると、インナーシェル１の凸部２４，２５の高さがウォータクッション２の室の高さと略同じであるため）、ウォータクッション２の各堰体と外周シール部８とは上側にずりあがった状態になっており、その結果、ウォータクッション２の上面は凹凸が殆どない平滑に近い状態になっている。
【００３７】
そして、上面が平滑に近い状態になっているウォータクッション２に第２クッション体３を重ねているため、第２クッション体３は全体にわたって等厚の板状であってもウォータクッション２の凹凸を身体に感じることはないのである。第２クッション体３は、ポリエステル製の無数の中空化繊を絡み合わせて互いの交絡部を溶着した構造であり、成形することも可能であるが、図３（Ａ）に示す原反３′を打ち抜いてそのまま使用できる。
【００３８】
図２では第２クッション体３を従来のウレタン製クッションと同じ程度の厚さに表示しているが、図３（Ａ）に示すようなシート状の材料を使用することにより、従来の半分程度の厚さにすることが可能になる。なお、インナーシェル１を凹凸形状にした点を主たる特徴として捉えると第２クッション体３の材質に限定はなくなり、この場合は第２クッション体３として従来のウレタンも使用できる（この点は他の実施形態も同じである。）。
【００３９】
人が着座すると、一般には主室２０に大きな押圧力が作用し、その結果、主室２０の容積が減少して水は他の室に流れ移動する。この水の移動によって袋体が変形して人の身体にフィットする。そして、本実施形態では、ウォータクッション２はインナーシェル１の凹部２６に嵌まり込んでいるため「座り」が良い状態になっており、このため身体を安定的に支持できる。また、インナーシェル１の凹部２６のうち主室２０に対応した部分に着座者の臀部が嵌まるような状態になるため、凹部２６は着座者の姿勢安定機能も有しており、その結果、身体の安定性をより一層向上できる。
【００４０】
なお、着座前の状態ではインナーシェル１の凸部２４，２５の箇所にはウォータクッション２の水層は存在しないが、着座によってウォータクッション２の主室２０に押圧力がかかると主室２０の水が他の室に移動し、これによって他の室は膨れあがるので、インナーシェル１の凸部２４，２５の箇所が第２クッション体を介して身体に突き上げ感として作用することはない。このため、第２クッション体３はできるだけ薄型化できる。
【００４１】
インナーシェル１にウォータクッション２の第３サイド堰体１８に対応してサイド凸部２５を設けるに当たって、図２（Ｃ）に変形例として示すように、第３サイド堰体１８の後部１８ａに対応した部分は凸部２５を設けない構成とすることも可能である。このように構成すると、体格の大きい人が着座しても凸部２５の感触が伝わることはない。
【００４２】
(3).他の実施形態
図３（Ｂ）以下では他の構造を例示している。このうち図３（Ｂ）に示す第２実施形態は、ウォータクッション２における左右の領域を前後４つの室２７，２８，２９，３０に区分してオリフィス部で連通させた場合において、インナーシェル１の凹部２６の深さ（或いは凸部２４，２５の高さ）をウォータクッション２がその厚さ方向の半分程度嵌まる寸法に設定し、更に、第２クッション体３の下面にはウォータクッション２の各室２７〜３０と嵌合する下向き凹所３１を形成している。
【００４３】
なお、第２クッション体３に凹所３１を形成していると表現することに代えて、第２クッション体３にウォータクッション２の堰体に嵌まり合う突起を形成していると表現したり、第２クッション体３の下面をウォータクッション２に嵌合するように凹凸形状に形成していると表現したりすることも可能である。
【００４４】
この第２実施形態では、水層がインナーシェル１の仮想上面の上方にはみ出た状態になっているため、着座者がインナーシェル１の凸部２４，２５を感じるような不具合は皆無となり、しかも、第２クッション体３の下面にはウォータクッション２の押圧力が均等に作用するため、着座者がウォータクッション２の凹凸を感じることもない。
【００４５】
図３（Ｃ）に示す第３実施形態では、ウォータクッション２の内部を後部室３２と前後２つの前部室３３とに分けてオリフィス部によって連通した場合において、前部室３３の厚さ（深さ）よりも後部室３２の厚さを厚くして、２つの前部室３３はその全体をインナーシェル１の凹部２６に嵌め込み、後部室３２は厚さの半分程度を凹部２６から上向きに突出させている。また、第２クッション体３には、ウォータクッション２の後部室２８が嵌まる凹所３１を形成している。
【００４６】
図３（Ｄ）に示す第４実施形態では、ウォータクッション２と第２クッション体３との間に中間シート３４を介在せしめ、中間シート３４にウォータクッション２の各室が嵌まる穴３５を空けており、これにより、第２クッション体３に凹所３１を形成したのと同等の効果を得ている。この第４実施形態は、第２クッション体３及び中間シート３４とも等厚の原反を使用できるためコスト面で有利である。中間シート３４を複数枚使用することも可能である。また、中間シート３４は不織布のような多孔質軟質材や樹脂シートなど各種のものを使用できる。
【００４７】
図４（Ａ）に示す第５実施形態では、座の後半部のみにウォータクッション２を配置して、インナーシェル１にはウォータクッション２の全体が嵌まる凹部２６を形成している。第２クッション体３は全体にわたって等厚に形成している。図４（Ｂ）に示す第６実施形態は第５実施形態の変形例であり、インナーシェル１の凹部の深さをウォータクッション２の厚さの半分程度に設定し、第２クッション体３にはウォータクッション２が嵌まる凹所３１（或いは凹凸）を形成している。
【００４８】
図４（Ｃ）に示す第７実施形態は第２実施形態の変形例であり、インナーシェル１のうち着座者の臀部が載る部分を、着座者の体圧で下向きに沈み込み変形するような変形許容部１ａと成している。着座者の体圧で下向きに沈み込み変形させることは、特許文献１のように多数のスリットを形成することで実現できる。そして、多数のスリットを形成した場合にウォータクッション２を構成する袋体が悪影響を受けることを防止するためには、ウォータクッション２とインナーシェル１との間に、ＰＥＴ樹脂製のシートのような撓み変形自在でかつある程度の腰がある補助シート３６を介在させたらよい。
【００４９】
(4).参考例
図４（Ｄ）（Ｅ）に示すのは参考例である。このうち図４（Ｄ）に示す第１参考例は、インナーシェル１は平滑に形成されていてウォータクッション２を非流体式の第２クッション体３及び第３クッション体３７で上下から挟み、かつ、第２クッション体３と第３クッション体３７とにウォータクッション２が嵌まる凹所３１を形成している。この参考例でもウォータクッション２は座りが良くて身体の安定性に優れている。
【００５０】
図４（Ｅ）に示す第２参考例では、インナーシェル１のうち着座者の臀部が載る部分に下向きの凹部２６を形成して、クッション体３７には凹部２６に嵌まる下向き凸部３７ａを形成している。インナーシェル１の凹部２６は、スリットを形成する等して一点鎖線で示すように体圧で沈み込み変形する構造とするのが好ましい。
【００５１】
図５では、インナーシェル１の一部のみを覆う部分クッション体２′を形成して、これをインナーシェル１の凹部２６に嵌め込んだ実施形態を示している。この場合、部分クッション体２′の材質や構造には限定はなく、流体クッションでもよいしウレタン等の弾性体性クッションでもよい。部分クッション体２′は露出させたままでもよいし、クロス等の表皮材で覆ってもよい。
【００５２】
そして、図５（Ａ）に示す第３参考例では、インナーシェル１のうち着座者の臀部が載る後部のみに凹部２６を形成して、この凹部２６のみに部分クッション体２′を配置している。凹部２６と部分クッション体２′とは左右に分離していてもよいし、左右に一連に連続していてもよい。凹部２６は左右に分離して部分クッション体２′は一連に連続した形態と成すことも可能である。部分クッション体２′は実線で示す状態ではインナーシェル１から上向きに突出しているが、一点鎖線で示すようにインナーシェル１と同一面を成すように設定したり、二点鎖線で示すようにインナーシェル１の表面から凹む状態に形成したりすることも可能である。
【００５３】
図５（Ｂ）の第４参考例では、実線で示す状態では凹部２６を前端部と後部との前後２箇所に形成している。一点鎖線で示すように前後３箇所に形成することも可能である。もちろん、前後方向にずれた４箇所以上の部位に設けることも可能である。各凹部２６と各部分クッション体２′とを左右に連続させたり分断らせたりすできることは第３参考例と同じである。図５（Ｃ）の第５参考例ではインナーシェル１に左右の凹部２６を分離して設け、各凹部２６にそれぞれ独立した状態でクッション体２′を配置している。
【００５４】
(5).その他
本願発明は上記の実施形態の他にも様々に具体化できる。例えば、座は必要に応じて様々な平面視形状を選択できる。また、本願発明でいう椅子にはベンチやソファーなど各種のものが含まれる。流体クッションの流体としては水の他にオイルやゲル状物質など様々なものを使用できる。空気を使用することも可能である。また、本願発明は椅子の背もたれ及び他の身体支持具にも適用できる。
【産業上の利用可能性】
【００５５】
本願発明は椅子の座及び背もたれに適用してその有用性を発揮できるのもであるから、産業上利用できる。
【符号の説明】
【００５６】
１  基板の一例としての座のインナーシェル
２  流体クッションの一例としてのウォータクッション
３  第２クッション体
６，７  ウォータクッションの袋体を構成するシート
８  ウォータクッションの外周シール部
１０〜１３，１６〜１８  堰体
１４，１９  オリフィス部
２０〜２３，２７〜３０，３２，３３  室
【図１】
2010273980.tif 000003
【図２】
2010273980.tif 000004
【図３】
2010273980.tif 000005
【図４】
2010273980.tif 000006
【図５】
2010273980.tif 000007